(57)【要約】【課題】  ユーザが簡単に電子機器を一時的にアラームが鳴動しない状態にすることが可能である。【解決手段】  アラーム設定がオンの状態で（Ｓ０２ステップ）、アラーム鳴動の禁止操作があると、一時的にアラーム鳴動を禁止する状態にし（Ｓ０４、Ｓ０５ステップ）、アラームを鳴動する時刻である第１の設定時刻になると（Ｓ０３ステップのＹＥＳ）、アラーム鳴動を禁止する状態であるか否かを判定し、アラーム鳴動を禁止する状態であれば、アラーム鳴動を禁止する（Ｓ０８、Ｓ０９ステップ）。続いて、第２の時刻になると、一時的にアラーム鳴動を禁止する状態を解除する（Ｓ１２、Ｓ１３ステップ）。【選択図】  図４
2010038632.tif 000002
【特許請求の範囲】
【請求項１】
所定時刻になると自動的にアラーム音を鳴動する状態であるアラーム設定オンの状態に設定可能な目覚まし機能付電子機器であり、
前記所定時刻になっても、前記アラーム設定オンの状態を維持したままで且つアラーム音を鳴動しないように設定可能であることを特徴とする目覚まし機能付電子機器。
【請求項２】
請求項１に記載の目覚まし機能付電子機器であり、
予め定められた時刻になると、前記所定時刻になっても前記アラーム設定オンの状態を維持したままで且つアラーム音を鳴動しないように設定した状態を自動的に解除し、当該解除後もアラーム設定オンの状態を継続することを特徴とする目覚まし機能付電子機器。
【請求項３】
第１の時刻になると自動的にアラーム音を鳴動する状態であるアラーム設定オンの状態に設定可能な目覚まし機能付電子機器であり、
前記目覚まし機能付電子機器は、操作部と、記憶部と、アラームを鳴動するアラーム鳴動部と、制御部と、を有し、
前記記憶部には、前記第１の時刻になると自動的にアラーム音を鳴動する状態であるアラーム設定オンの状態か、前記第１の時刻になっても自動的にアラーム音を鳴動しない状態であるアラーム設定オフの状態か、を示すアラーム設定と、予め定められた時刻になると、前記アラーム設定オンの状態を維持したままで且つアラーム音を鳴動しないように設定した状態である（オン）か否（オフ）かを示すフラグと、が格納され、
前記制御部は、前記第１の時刻になった際に、前記記憶部に、前記アラーム設定オンの状態であることを示す情報が格納され且つ前記フラグがオンであると判定すると、前記アラーム鳴動部からアラームが鳴動することを禁止すると共に、前記アラーム設定オンの状態を維持することを特徴とする目覚まし機能付電子機器。
【請求項４】
請求項３に記載の目覚まし機能付電子機器であり、
前記記憶部には、更に前記フラグを自動的にオフする時刻である第２の時刻を格納し、前記制御部は、前記第２の時刻になったと判定すると、前記フラグを自動的にオフすることを特徴とする目覚まし機能付電子機器。
【発明の詳細な説明】
【技術分野】
【０００１】
本発明は携帯電話装置等の目覚まし機能付電子機器に関する。
【背景技術】
【０００２】
近年の携帯電話装置にはアラーム機能（目覚まし機能）が搭載されている。このアラーム機能は、ユーザがアラームを鳴動させる時刻を予め設定すると、その設定した時刻になった際に自動的にアラームが鳴動する機能である。ユーザはこのアラーム機能を活用することにより、携帯電話装置を目覚まし時計として使用することが可能である。
【０００３】
又、このアラーム機能に関して数多くの技術が公開されており、例えば特許文献１には、マナーモードになっていても所定の時刻になると強制的にアラームを鳴動させる技術が記載されている。
【特許文献１】特開２００３−６６１７２２号公報
【発明の開示】
【発明が解決しようとする課題】
【０００４】
従来の携帯電話装置では、ユーザがアラームを鳴動する時刻を設定すると共に、アラームの鳴動を許可する操作を行った場合（アラーム設定オン）、このアラームオンを解除する為には、ユーザがアラームの鳴動を禁止する操作（アラーム設定オフ）を行う必要がある。
【０００５】
このような操作が必要である為、以下のような問題点が生じる。例えばユーザがアラームの鳴動時刻（例えば、朝８時）を設定した状態で朝７時に起きた場合、ユーザは既に起きているのでアラームを鳴動する必要がない。このような場合、ユーザはアラームを鳴動させないためにアラーム設定オフの操作を行うことになるが、明日以降アラームを鳴動させるためには再度アラーム設定オンの操作を行う必要があり、ユーザに面倒な操作を強いることとなる。
【課題を解決するための手段】
【０００６】
本発明はこのような課題を解決するためのものであり、簡単な操作でアラームを一時的に鳴動させない状態にし、且つ再度アラーム設定のオン操作を行う必要のない目覚まし機能付電子機器を提供することを目的としている。
請求項１に記載の発明は、所定時刻になると自動的にアラーム音を鳴動する状態であるアラーム設定オンの状態に設定可能な目覚まし機能付電子機器であり、前記所定時刻になっても、前記アラーム設定オンの状態を維持したままで且つアラーム音を鳴動しないように設定可能であることを特徴とする。
請求項２に記載の発明は、請求項１に記載の目覚まし機能付電子機器であり、予め定められた時刻になると、前記所定時刻になっても前記アラーム設定オンの状態を維持したままで且つアラーム音を鳴動しないように設定した状態を自動的に解除し、当該解除後もアラーム設定オンの状態を継続することを特徴とする。
請求項３に記載の発明は、第１の時刻になると自動的にアラーム音を鳴動する状態であるアラーム設定オンの状態に設定可能な目覚まし機能付電子機器であり、前記目覚まし機能付電子機器は、操作部と、記憶部と、アラームを鳴動するアラーム鳴動部と、制御部と、を有し、前記記憶部には、前記第１の時刻になると自動的にアラーム音を鳴動する状態であるアラーム設定オンの状態か、前記第１の時刻になっても自動的にアラーム音を鳴動しない状態であるアラーム設定オフの状態か、を示すアラーム設定と、予め定められた時刻になると、前記アラーム設定オンの状態を維持したままで且つアラーム音を鳴動しないように設定した状態である（オン）か否（オフ）かを示すフラグと、が格納され、前記制御部は、前記第１の時刻になった際に、前記記憶部に、前記アラーム設定オンの状態であることを示す情報が格納され且つ前記フラグがオンであると判定すると、前記アラーム鳴動部からアラームが鳴動することを禁止すると共に、前記アラーム設定オンの状態を維持することを特徴とする。
請求項４に記載の発明は、請求項３に記載の目覚まし機能付電子機器であり、前記記憶部には、更に前記フラグを自動的にオフする時刻である第２の時刻を格納し、前記制御部は、前記第２の時刻になったと判定すると、前記フラグを自動的にオフすることを特徴とする。
【発明の効果】
【０００７】
本発明によれば、アラームを鳴動する時刻である第１の時刻になっても一時的にアラームを鳴動しないようにすることができる。又、第２の時刻になると自動的に、第１の時刻になるとアラームを鳴動する状態に戻るため、ユーザに面倒な操作を強いることがない。その一例として、例えば、ユーザが、アラーム設定をオンした後に第１の設定時刻（例えば朝の８：００）になる前に機能キー５４を操作すると、アラーム設定がオンの状態で第１の設定時刻になってもアラーム音が鳴動されないため、例えばユーザが第１の設定時刻（朝８：００）より前（例えば朝７：００）に起きた場合、機能キー５４を押下するという簡単な操作で、アラーム設定がオンでも一時的にアラーム音が鳴動しない状態にすることが可能である。又、予め設定した第２の設定時刻（例えば昼の１２：００）になると自動的にフラグがオフになる。即ち、自動的にアラーム設定がオンで且つアラーム音が鳴動する状態になる。このため、ユーザは再度アラーム設定をオンする操作を行う必要がない。
【０００８】
請求項１に記載の発明によると、所定時刻になっても、アラーム設定オンの状態を維持したままで且つアラーム音を鳴動しないように設定可能である。
【０００９】
請求項２に記載の発明によると、予め定められた時刻になると、所定時刻になってもアラーム設定オンの状態を維持したままで且つアラーム音を鳴動しないように設定した状態を自動的に解除し、当該解除後もアラーム設定オンの状態を継続するため、ユーザは再度アラーム設定オンの操作を行う必要がない。
【００１０】
請求項３に記載の発明によると、第１の時刻になった際に、記憶部に、アラーム設定オンの状態であることを示す情報が格納され且つフラグがオンであると判定すると、アラーム鳴動部からアラームが鳴動することを禁止すると共に、アラーム設定オンの状態を維持するため、ユーザは、第１の時刻になっても一時的にアラームを鳴動させない状態にすることが可能であり、更に、ユーザは再度アラーム設定オンの操作を行う必要がない。
請求項４に記載の発明によると、第２の時刻になるとフラグを自動的にオフするため、ユーザはフラグのオフ操作を行う必要がない。
【発明を実施するための最良の形態】
【００１１】
次に、本発明を適用してなる実施例装置について説明する。本実施例では、目覚まし機能付電子機器としてアラーム機能（目覚まし機能）を搭載した携帯電話装置について説明する。
図１は、本実施例装置の斜視図である。図１において、携帯電話装置１は、ディスプレイ４２を有する第１の筐体１０と、テンキー４８を有する第２の筐体２０とがヒンジ部を介して閉可能に接続されている。図１（ａ）は筐体を閉じた状態の斜視図、図２（ｂ）は筐体を開いた状態の斜視図である。
【００１２】
図２は、本実施例装置のブロック図を示している。図２に示すように、携帯電話装置１は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１３】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。尚、この通信部１２やＣＤＭＡ処理回路１８は電子メールの送受信機能も備えている。
【００１４】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１５】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１６】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動や警告音の鳴動も行う。
切替回路２２は、ベースバンド部１４との接続を、第１スピーカ２６用の増幅回路２４とマイクロホン３０用の増幅回路２８側にするか、あるいは第２スピーカ３４用の増幅回路３２とマイクロホン３０用の増幅回路２８側にするかを切り替える。
【００１７】
また、携帯電話装置１０は、ＧＰＳアンテナ５６と接続されたＧＰＳ通信部５８を備えている。ＧＰＳ通信部５８では、ＧＰＳアンテナ５６がとらえた現在位置情報に関する電波（ＧＰＳデータ）を電気信号に変換処理して制御回路３６に出力する。この制御回路３６では、ＧＰＳデータに基づいて携帯電話装置１０の現在位置情報が算出される。なお、制御回路３６に出力された携帯電話装置１０の現在位置情報は、ＲＡＭ４０に記憶される。
【００１８】
また、通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
ＲＡＭ４０は、電話番号と氏名とメールアドレス等が対応付けて複数格納可能な電話帳メモリの機能や、受信メールや送信メールのデータ、受信した画像データ等を格納する機能も有している。又、ＲＡＭ４０には、アラーム機能に関して以下の情報を格納している。まず、アラーム機能がオン状態であるか又はオフ状態であるかを示す情報（以下、アラーム設定）、アラーム設定がオン（アラーム機能がオン状態）である際にアラームを鳴動する時刻（第１の設定時刻）や曜日の情報、アラーム設定がオンであるにもかかわらずアラームを鳴動させないようにする設定であるか否かを示すフラグ、当該フラグを解除する時刻（第２の設定時刻）を格納する。
図３は、アラームの設定情報を表示する際のディスプレイ４２の表示画面である。図３に示す表示画面には、ＲＡＭ４０に格納されているアラーム機能に関する数々の情報が表示されている。
【００１９】
図３に示すように、アラームの設定は複数件設定可能であり、例えば１〜１０の１０件設定可能である。１〜１０の各設定において、アラームを鳴動開始する時刻、曜日（平日のみ、毎日、土日のみ等）、アラーム機能がオン状態であるか又はオフ状態であるかを示す情報（アラーム設定）が設定可能である。このアラーム機能がＯＮ（オン）に設定されていると、設定された時刻にアラームが鳴動する。例えば図３では、１番目の項目はアラーム機能がオンとなっている。この為、１の項目の設定である、平日の８：００になるとアラームが鳴動される。一方、２〜１０の項目はアラーム機能がオフに設定されているため、設定されている時刻になってもアラームは鳴動されない。
【００２０】
制御回路３６には、入力部４４が接続されている。この入力部４４は、電話番号等の入力を行うテンキー４８と、通話の開始を操作する通話キー５０と、通話の終了を操作する切キー５２と、電源キー６４と、アラーム設定がオンであるにもかかわらずアラームを鳴動させないようにする設定する、換言すれば前記フラグをオンするための機能キー５４と、を有している。また、制御回路３６には、ディスプレイ４２のバックライトである照明部４６が接続されている。更に、制御回路３６は時刻を計時する機能及び曜日が何曜日であるかを計時、保存する機能を有している。
【００２１】
開閉検出部６０は筐体の開閉を検出する。尚、この開閉検出部は一方の筐体に磁石を、他方の筐体にホール素子を用いた従来の開閉検出機構である。
次に本実施携帯に係る携帯電話装置１の動作について説明する。本実施例装置は、アラーム設定がオンの状態でアラーム鳴動の設定時刻（第１の設定時刻）になる前にユーザが機能キー５４を所定時間以上（例えば２秒以上）押下し続けると、ＲＡＭ４０に格納されているフラグがオンとなり、予め設定された第２の設定時刻になるまでアラームの設定情報がオンとなっていてもアラームの鳴動を禁止するものである。又、第２の設定時刻以降もアラーム設定がオンの状態を維持する。
尚、図４に示す動作を実行する前に、ユーザはＲＡＭ４０に第２の設定時刻を格納する操作を行う。第２の設定時刻としては、例えば正午の１２：００とする。
Ｓ０１ステップでは、制御回路３６は、入力部４０からアラームの設定をオンする操作があると判定すると、Ｓ０２ステップへ処理を進める。具体的には、制御回路３６は、入力部４０からアラームの鳴動時刻、曜日、アラーム設定をオンする操作があると判定すると、Ｓ０２ステップへ処理を進める。尚、ここで、例えば、図３に示すように、１の項目に時刻が８：００、曜日が平日、アラーム設定がオン、の情報が入力されたとする。
Ｓ０２ステップでは、制御回路３６は、前記Ｓ０１ステップで入力された情報をＲＡＭ４０に格納し、Ｓ０３ステップへ処理を進める。
Ｓ０３ステップでは、制御回路３６は、ＲＡＭ４０に格納されている第１の設定時刻（例えば  項目１の８：００）になったと判定すると、Ｓ０８ステップへ処理を進め、そうでなければＳ０４ステップへ処理を進める。
Ｓ０４ステップでは、制御回路３６は、アラーム鳴動を一時的に禁止するための操作である、機能キー５４の操作があると判定すると、Ｓ０５ステップへ処理を進め、そうでなければ、Ｓ０６ステップへ処理を進める。
Ｓ０５ステップでは、制御回路３６は、ＲＡＭ４０に格納されているフラグをオンし、Ｓ０６ステップへ処理を進める。
Ｓ０６ステップでは、制御回路３６は、入力部４４からアラーム設定をオフする操作があると判定すると、Ｓ０７ステップへ処理を進め、そうでなければ、Ｓ０３ステップへ処理を戻す。具体的には、制御回路３６は、前記Ｓ０１ステップ及びＳ０２ステップで設定した項目１の、アラーム設定をオンからオフに変える操作があると判定すると、Ｓ０７ステップへ処理を進める。
Ｓ０７ステップでは、制御回路３６は、ＲＡＭ４０に格納されている項目１のアラーム設定をオフにし、Ｓ０１ステップへ処理を戻す。
Ｓ０８ステップでは、制御回路３６は、ＲＡＭ４０に格納されているフラグがオンであると判定すると、Ｓ０９ステップへ処理を進め、そうでなければＳ１４ステップに進み、Ｓ１４ステップでスピーカ３４からアラーム音を鳴動させる。
Ｓ０９ステップでは、制御回路３６は、アラーム音の鳴動を禁止しＳ１０ステップへ処理を進める。
【００２２】
続くＳ１０ステップでは、制御回路３６は、Ｓ０６ステップと同様にアラーム設定をオフする操作があると判定すると、Ｓ１１ステップへ処理を進め、そうでなければＳ１２ステップへ処理を進める。
Ｓ１１ステップでは、制御回路３６は、Ｓ０７ステップと同様にアラーム設定をオフしＳ０１ステップへ処理を戻す。
Ｓ１２ステップでは、制御回路３６は、ＲＡＭ４０から第２の設定時刻（例えば正午の１２：００）となったと判定すると、Ｓ１３ステップへ処理を進め、そうでなければＳ０３ステップへ処理を戻す。
Ｓ１３ステップでは、制御回路３６は、ＲＡＭ４０に格納されているフラグをオフし、Ｓ０３ステップへ処理を戻す。
このように、本実施例装置では、ユーザが、アラーム設定をオンした後に第１の設定時刻（例えば朝の８：００）になる前に機能キー５４を操作することにより、ＲＡＭ４０のフラグをオンすることができる。このフラグがオンである状態では、アラーム設定がオンで第１の設定時刻になってもアラーム音が鳴動されないため、例えばユーザが第１の設定時刻（朝８：００）より前（例えば朝７：００）に起きた場合、機能キー５４を押下するという簡単な操作で、アラーム設定がオンでも一時的にアラーム音が鳴動しない状態にすることが可能である。
又、予め設定した第２の設定時刻（例えば昼の１２：００）になると自動的にフラグがオフになる。即ち、自動的にアラーム設定がオンで且つアラーム音が鳴動する状態になる。このため、ユーザは再度アラーム設定をオンする操作を行う必要がない。
尚、本実施例装置では、機能キー５４の操作でフラグがオンする構成としたが、機能キー５４に限定されず、通話キー５０やテンキー４８等のほかのキーの操作でフラグがオンする構成としても良いし、フラグをオンするための専用キーを設けても良い。
又、第２の設定時刻は、工場出荷時から予め格納されている時刻（例えば夜中の１２：００等）としても良い。更に、フラグがオンの状態で再度機能キー５４が押下されるとフラグをオフする構成としても良い。このような構成とすると、ユーザは、機能キー５４の押下操作という簡単な操作だけでフラグをオフすることができる。
更に、本実施例装置では、目覚まし機能を有する携帯電話装置について実施したが、目覚まし機能を有する時計、表示装置、音楽を再生可能なプレーヤー等の電子機器にも本発明を適用できる。
【図面の簡単な説明】
【００２３】
【図１】本発明を適用してなる実施例装置の斜視図である。
【図２】本実施例装置のブロック図である。
【図３】本実施例装置の表示形態を示す図である。
【図４】本実施例装置の動作を示すフロー図である。
【符号の説明】
【００２４】
１        携帯電話装置
１２      通信部
１４      ベースバンド部
３６      制御回路
４０      ＲＡＭ
４２      ディスプレイ
４４      入力部
５４      機能キー
【図１】
2010038632.tif 000003
【図２】
2010038632.tif 000004
【図３】
2010038632.tif 000005
【図４】
2010038632.tif 000006